(57)【要約】【課題】ジグヘッドを所望の海域に投げ入れるための飛距離と、ジグヘッドの操作感の双方を実現させるルアーフィッシング用仕掛けを提供することを目的とする。【解決手段】釣り用ラインの先端に一定重量のジグヘッド３を連結するとともに、ジグヘッド３から一定距離離間してシンカー２を装着したルアーフィッシング用仕掛け１であって、係止具２ｃを有する重量部材２ａと、該重量部材２ａを一体に抱囲する浮力体２ｂとからシンカー２を形成し、釣り用ラインの一定区間で前記シンカー２を摺動自在に装着し、浮力体２ｂによって、重量部材２ａの重量にかかわりなく、シンカー２より先にジグヘッド３が水中で沈降するようにしたルアーフィッシング用仕掛けを提供する。【選択図】図１
2014103917.tif 000002
【特許請求の範囲】
【請求項１】
釣り用ラインの先端に一定重量のジグヘッドを連結するとともに、ジグヘッドから一定距離離間してシンカーを装着したルアーフィッシング用仕掛けであって、
係止具を有する重量部材と、該重量部材を一体に抱囲する浮力体とからシンカーを形成し、釣り用ラインの一定区間で前記シンカーを摺動自在に装着し、浮力体によって、重量部材の重量にかかわりなく、シンカーより先にジグヘッドが水中で沈降するようにしたことを特徴とするルアーフィッシング用仕掛け。
【請求項２】
シンカーの水中での沈降速度を、ジグヘッドの水中での沈降速度より遅い一定速度に調節した請求項１記載のルアーフィッシング用仕掛け。
【請求項３】
次の条件Ａ，Ｂを充足する請求項１又は２記載のルアーフィッシング用仕掛け。
条件Ａ：ジグヘッドの重量≦シンカーの重量
条件Ｂ：ジグヘッドの沈降速度≧シンカーの沈降速度
【請求項４】
釣り用ラインの一定区間において摺動自在に装着した取付具に、シンカーの係止具を係止することによって、シンカーを釣り用ラインに挿通することなく、釣り用ラインの一定区間をシンカーが摺動自在とした請求項１，２又は３記載のルアーフィッシング用仕掛け。
【請求項５】
釣り用ラインの一定区間に一対のストッパを装着し、該一対のストッパ間の釣り用ラインに取付具を摺動自在に装着した請求項４記載のルアーフィッシング用仕掛け。
【請求項６】
釣り用ラインの一定区間として、先端にジグベッドを連結してメインラインに連結したリーダーの一定区間とした請求項１，２，３，４又は５記載のルアーフィッシング用仕掛け。
【請求項７】
シンカーの存在に影響されることなく、ジグヘッドを操作可能とした請求項１，２，３，４，５又は６記載のルアーフィッシング用仕掛け。
【請求項８】
釣り用ラインのメインラインの先端にジグヘッドを連結したリーダーを連結し、リーダーに第１ストッパと第２ストッパを一定距離離間させて固定するとともに、第１ストッパと第２ストッパ間に取付具を摺動自在に連結し、該取付具にシンカーの係止具を係止した請求項１，２，３，４，５，６又は７記載のルアーフィッシング用仕掛け。
【請求項９】
浮力体をポリプロピレンから形成した請求項１，２，３，４，５，６，７又は８記載のルアーフィッシング用仕掛け。
【請求項１０】
シンカーの重量として、０．９ｇ，１．２ｇ，１．５ｇ，１．８ｇ又は２．４ｇを選択した請求項１，２，３，４，５，６，７，８又は９記載のルアーフィッシング用仕掛け。
【発明の詳細な説明】
【技術分野】
【０００１】
本発明は、アジングやメバリング等のルアーフィッシングにおいて、ジグヘッドをより遠くに投げるための重量をシンカーに保持させるとともに、シンカーよりも重量の軽いジグヘッドであっても、着水後はシンカーに先行して沈降させることを可能とすることによって、ジグヘッドを所望の海域に投げ入れるための飛距離と、ジグヘッドの操作感の双方を同時に実現させるルアーフィッシング用仕掛けに関するものである。
【背景技術】
【０００２】
生き餌を使用する従来の釣りに代えて、ルアー（疑似餌）を使用するルアーフィッシングは、スポーツ感覚で手軽に楽しめる釣りとして、老若男女を問わず幅広い層で支持され楽しまれている。特に、近時は短時間でも楽しめるルアーフィッシングとして、日本全国に広く生息しているアジ（鯵）をルアーで釣るアジングや、メバル（眼張）をルアーで釣るメバリングが人気を博している。アジは回遊魚であり、又メバルも日本沿岸に広く生息し、ともに小さい割りにかなりいい引きをするため、スポーツフィッシングとしてのルアーフィッシングの醍醐味を味わうことができるとともに、釣り上げたアジやメバルを賞味する楽しさもあることから人気が高い。
【０００３】
アジング等のルアーフィッシングに使用する仕掛けは、ロッドから繰り出された釣り用ラインの先端にジグヘッドを連結し、ジグヘッドにワーム等の擬似餌を装着する構成を基本とし、更にジグヘッドから一定距離離間してシンカー（錘）を装着する各種の仕掛けも使用されている。
【０００４】
従来より、ルアーフィッシング用仕掛けやその部材として種々の構成が提供されている。例えば、特許文献１によれば、ターゲットとする魚の海中における生息層や遊泳層の探知が容易であり、かつ、探知した生息層や遊泳層に魚釣り用の仕掛けを配置して保持することが容易な釣り用錘として、浮力体を介在させて長手方向に一定距離離反して配置された一対の錘部材と、浮力体及び錘部材を長手方向に貫通する釣り糸挿通用のチューブと、錘部材と浮力体を一体に被覆する被覆材とからなり、浮力体の長手方向両端部に略同じ重量の一対の錘部材を配置するとともに、チューブを一対の錘部材からそれぞれ一定長さ突出させ、かつ、一方の錘部材からのチューブの突出長さを他方の錘部材からの突出長さより長くした釣り用錘が提供されている（特許文献１）。
【０００５】
図１０は特許文献１にかかる釣り用錘を使用したルアーフィッシング用仕掛け２１を示す説明図である。図において、２３はジグヘッドであり、フック２３ａの端部に錘部材２３ｂが装着されている。アジングでは、ジグヘッド２３として０．４ｇ〜１．８ｇ程度の重量のものが使用されることが多い。２４はフック２３ａに装着したソフトルアーとしてのワームである。ジグヘッド２３はリーダー２５の先端に連結され、リーダー２５の基端は、取付具２７等の連結具を介してロッドから繰り出された釣り用ライン２６に連結されている。２２は特許文献１に示す釣り用錘であって、浮力体２２ｃを介在させて長手方向に一定距離離反して配置された一対の錘部材２２ａ，２２ｂと、浮力体２２ｃ及び錘部材２２ａ，２２ｂを長手方向に貫通する釣り糸挿通用のチューブ２２ｄからなり、釣り糸挿通用のチューブ２２ｄに釣り用ライン２６を挿通している。
【先行技術文献】
【特許文献】
【０００６】
【特許文献１】特開２０１０−１７８６９６号
【発明の概要】
【発明が解決しようとする課題】
【０００７】
魚は種類や潮流の流れ、天候、季節等によって、生息層や遊泳層を異にしている。釣果を揚げるためにルアーフィッシングにおいて肝要なことは、仕掛けを目標とする海域まで投げ入れて、狙う魚の生息層や遊泳層までゆっくりと沈めるとともに、狙う魚を誘うためにジグヘッドを状況に合わせて適宜操作するために、ジグヘッドの動きを釣り人が感知することである。そのため、軽量のジグヘッドを単体で使用する方が操作性や感知性に優れており、アジングでは０．４ｇ〜１．８ｇ程度の軽量のジグヘッドを使用することが多い。アジングでは、仕掛けの沈降速度が特に重要であり、できるだけ軽量の仕掛けを使用してゆっくりと沈降させることが、早い沈降に比べて相対的に効果的である。しかしながら、軽量のジグヘッド単体では仕掛けを遠投することが困難であり、狙う海域が沖合の場合は仕掛けを投げ入れることができない。更に、アジングが最盛期を迎える晩秋から翌春までの間は季節風が吹くことも多く、軽量のジグヘッドを使用することが多いアジングではジグヘッドが風の影響を受けて、狙う海域にジグヘッドを投げ入れることが困難なことが多い。
【０００８】
これを解決するためには、仕掛けの重量を増加させればよく、シンカーを装着して必要な重量を増加させることによって遠投が可能となり、又風に流されることを防ぐことができる。ところが、シンカーによって仕掛けの重量を増加させると狙う海域に着水後は、シンカーがジグヘッドの沈降速度を速めてしまうため、ジグヘッドの沈降速度を適格にコントロールすることが困難である。即ち、軽量のジグヘッドによるゆっくりとした沈降ができない。また、シンカーの重量が軽量のジグヘッドの重量に増さることが多いため、シンカーがジグヘッドより先に沈降することとなり、釣り人がジグヘッドの存在を感じることができない。
【０００９】
例えば、図１０に示す特許文献１にかかる釣り用錘２２を使用したルアーフィッシング用仕掛け２１は、釣り用錘２２の重量によってルアーフィッシング用仕掛け２１を目標とする海域まで投げ入れることが可能となる。即ち、釣り用錘の重量としては、潮流に流されない重さと迅速な沈降を実現するとともに、投げ釣りにも適した最適の重さを実現することができる。その結果、飛距離を延ばすことができ、釣り人の位置から釣れる範囲が飛躍的に広がる。また、浮力体を介在させて長手方向に一定距離離反させて配置した一対の錘部材を有するため、水中を斜め方向に沈降することとなり、同じ重さの釣り用錘に比して狙いとする魚の生息層や遊泳層を通過する距離と時間を長くすることができる。
【００１０】
しかしながら、上記した釣り用錘２２は、図１１に示すように狙いとする海域Ｓに着水した後は、ジグヘッド２３より早く沈降することとなる。釣り用錘２２は浮力体２２ｃを介在させてはいるが、この浮力体２２ｃは釣り用錘２２の水中の沈降姿勢を制御するためのものであり、釣り用錘２２の沈降速度を制御するためのものではない。０．４ｇ〜１．８ｇ程度の軽量のジグヘッドを使用することが多いアジングでは、ジグヘッド２３よりも釣り用錘２２が早く沈降し、ジグヘッド２３は遅れて釣り用錘２２に引っ張られるようにして沈降してゆく。そのため、ロッドを操作する釣り人が釣り用ライン２６を介して存在を感知するのは先ず釣り用錘２２となってしまい、ジグヘッド２３の存在を直接感知することができない。よって、釣り人は釣り用錘２２を操作することとなってしまう。
【００１１】
アジングその他のルアーフィッシィングにおいて、上達のため、又アジングを楽しむためには、ジグヘッドの存在を常に意識することができ、ジグヘッドを自在に操作することが肝要であり、このジグヘッドの認識の可否が初心者の壁ともなっている。特に、特許文献１に示す従来の釣り用錘２２は、釣り用錘２２が釣り用ライン２６を直接摺動するように装着されており、釣り用錘２２と釣り用ライン２６とが点ではなく一定範囲の線として接触するため、ジグヘッド２３の存在を感じることが困難である。
【００１２】
そこで、本発明は前記した従来のルアーフィッシング用仕掛けの課題を解決し、ジグヘッドをより遠くに投げるための重量をシンカーに保持させるとともに、着水後はシンカーよりも重量を軽く設定したジグヘッドをシンカーに先行して沈降させることによって、ジグヘッドを所望の海域に投げ入れるための飛距離と、ジグヘッドの操作感の双方を実現させるルアーフィッシング用仕掛けを提供することを目的としている。
【課題を解決するための手段】
【００１３】
本発明はその目的を達成するために、釣り用ラインの先端に一定重量のジグヘッドを連結するとともに、ジグヘッドから一定距離離間してシンカーを装着したルアーフィッシング用仕掛けであって、係止具を有する重量部材と、該重量部材を一体に抱囲する浮力体とからシンカーを形成し、釣り用ラインの一定区間で前記シンカーを摺動自在に装着し、浮力体によって、重量部材の重量にかかわりなく、シンカーより先にジグヘッドが水中で沈降するようにしたルアーフィッシング用仕掛けを基本として提供する。また、シンカーの水中での沈降速度を、ジグヘッドの水中での沈降速度より遅い一定速度に調節し、次の条件Ａ，Ｂを充足するようにする。
条件Ａ：ジグヘッドの重量≦シンカーの重量
条件Ｂ：ジグヘッドの沈降速度≧シンカーの沈降速度
【００１４】
そして、釣り用ラインの一定区間において摺動自在に装着した取付具に、シンカーの係止具を係止することによって、シンカーを釣り用ラインに挿通することなく、釣り用ラインの一定区間をシンカーが摺動自在とした構成、釣り用ラインの一定区間に一対のストッパを装着し、該一対のストッパ間の釣り用ラインに取付具を摺動自在に装着した構成、及び釣り用ラインの一定区間として、先端にジグベッドを連結してメインラインに連結したリーダーの一定区間とした構成、シンカーの存在に影響されることなく、ジグヘッドを操作可能とした構成を提供する。
【００１５】
更に、釣り用ラインのメインラインの先端にジグヘッドを連結したリーダーを連結し、リーダーに第１ストッパと第２ストッパを一定距離離間させて固定するとともに、第１ストッパと第２ストッパ間に取付具を摺動自在に連結し、該取付具にシンカーの係止具を係止した構成を提供する。そして、浮力体をポリプロピレンから形成した構成、及びシンカーの重量として、０．９ｇ，１．２ｇ，１．５ｇ，１．８ｇ又は２．４ｇを選択した構成を提供する。
【発明の効果】
【００１６】
上記構成の本発明によれば、ジグヘッドの飛距離に応じたシンカーの重量を選択することによってジグヘッドの飛距離を延ばして狙う海域に投入することができるとともに、シンカーの沈降速度をその重量に関わりなく、一定の速度に調節してあるため、ジグヘッドより重い重量のシンカーを使用しても、常にシンカーより先にジグヘッドを水中に沈降させることができる。即ち、着水後は、シンカーの重量に関わりなく、ジグヘッドがシンカーに先行して沈降し、シンカーはジグヘッドに追随して沈降するため、釣り人はシンカーの存在に邪魔されることなくジグヘッドの存在を感知することが容易となる。
【００１７】
更に、シンカーは取付具を介して摺動自在に釣り用ラインに係止されているため、水中でのジグヘッドの操作にシンカーが障害とならず、釣り人は常に直接的なジグヘッドの操作が可能である。そのため、ジグヘッドを所定のポイントに投入することが容易となるとともに、ジグヘッドの操作が容易となり、又魚がジグヘッドを咥えたことを適格に感知することができる。本発明によれば、ルアーフィッシング用仕掛けをシンカーによって遠投可能であるとともに、着水後は恰もシンカーを装備しないジグヘッド単体のルアーフィッシング用仕掛けの感覚で釣りを楽しむことができる。
【図面の簡単な説明】
【００１８】
【図１】本発明にかかるルアーフィッシング用仕掛けの実施形態を示す説明図。
【図２】本発明にかかるルアーフィッシング用仕掛けの沈降状態を示す作用説明図。
【図３】本発明にかかるシンカーの第１実施形態を示す斜視図。
【図４】図３の正面図。
【図５】図４の中央縦断面図。
【図６】本発明にかかるシンカーの第２実施形態を示す中央縦断面図。
【図７】本発明にかかるシンカーの第３実施形態を示す中央縦断面図。
【図８】本発明にかかるシンカーの第４実施形態を示す中央縦断面図。
【図９】本発明にかかるシンカーの第５実施形態を示す中央縦断面図。
【図１０】従来のルアーフィッシング用仕掛けの実施形態を示す説明図。
【図１１】従来のルアーフィッシング用仕掛けの沈降状態を示す作用説明図。
【発明を実施するための形態】
【００１９】
本発明にかかるルアーフィッシング用仕掛けは、アジングやメバリングに使用して効果が大きいが、ルアーを使用して行う釣り全般に適用することができる。以下図面に基づいて本発明にかかるルアーフィッシング用仕掛けの実施形態をアジングを例として説明する。図１は本発明にかかるルアーフィッシング用仕掛け１の実施形態を示す説明図、図２は沈降状態を示す作用説明図である。図において、３はジグヘッドであり、フック３ａの端部に錘部材３ｂが装着されている。アジングでは、ジグヘッドの沈降速度をコントロールするためにジグヘッド３として０．４ｇ〜１．８ｇ程度の軽量のものが使用されることが多い。４はフック３ａに装着したソフトルアーとしてのワームである。
【００２０】
ロッドから繰り出された釣り用ラインとしてのメインライン６の先端にジグヘッド３を連結したリーダー５を連結し、リーダー５に第１ストッパ７と第２ストッパ８を一定距離離間させて固定している。リーダー５には第１ストッパ７からジグヘッド３方向に一定距離離間して第２ストッパ８が装着されている。なお、リーダー５は、海中の岩や魚と擦れてメインライン６が切れることを防ぐためのメインライン６より径大のラインである。
【００２１】
２はシンカーであって、ジグヘッド３から一定距離離間して、第１ストッパ７と第２ストッパ８間のリーダー５にヨリモドシ等の取付具９を摺動自在に連結し、該取付具９にシンカー２の係止具２ｃを係止することによって、リーダー５の一定区間Ｌに摺動自在に装着する。図示例では、第１ストッパ７としてウキ止めゴムを使用し、第２ストッパ８としてはリーダー５に挿通した２分割の有孔ゴム部材を棒材で連結する通称「からまん棒」と言われる部材を使用している。
【００２２】
図３はシンカー２の第１実施形態を示す斜視図、図４は図３の正面図、図５は図４の中央縦断面図である。図６は第２実施形態のシンカー１０を示す中央縦断面図、図７は第３実施形態のシンカー１１を示す中央縦断面図、図８は第４実施形態のシンカー１２を示す中央縦断面図、図９は第５実施形態のシンカー１３を示す中央縦断面図である。図に示すようにシンカー２，１０，１１，１２，１３（以下、シンカー２等という）は、係止具２ｃ，１０ｃ，１１ｃ，１２ｃ，１３ｃ（以下、係止具２ｃ等という）を有する重量部材２ａ，１０ａ，１１ａ，１２ａ，１３ａ（以下、重量部材２ａ等という）と、重量部材２ａ等を一体に抱囲する浮力体２ｂ，１０ｂ，１１ｂ，１２ｂ，１３ｂ（以下、浮力体２ｂ等という）とから構成されている。重量部材２ａ等は鉛合金からなる円錐体であり、係止具２ｃ等は同じく鉛合金からなり、重量部材２ａ等の截頭面に埋設されて固定されるとともに、環状孔部２ｄ，１０ｄ，１１ｄ，１２ｄ，１３ｄ（以下、環状孔部２ｄ等という）が重量部材２ａ等の截頭面から露出している。
【００２３】
図３〜図５に示す第１実施形態のシンカー２では、重量部材２ａ及び係止具２ｃの合計重量を１．５ｇとしている。図６に示す第２実施形態のシンカー１０では、重量部材１０ａ及び係止具１０ｃの合計重量を０．９ｇとしている。図７に示す第３実施形態のシンカー１１では、重量部材１１ａ及び係止具１１ｃの合計重量を１．２ｇとしている。図８に示す第４実施形態のシンカー１２では、重量部材１２ａ及び係止具１２ｃの合計重量を１．８ｇとしている。図９に示す第５実施形態のシンカー１３では、重量部材１３ａ及び係止具１３ｃの合計重量を２．４ｇとしている。なお、シンカー２等の重量はルアーフィッシング用仕掛け１を投げ入れる距離に応じて適宜選択をすればよい。
【００２４】
浮力体２ｂ等は、比重が小さくて水に浮かぶ熱可塑性樹脂からなり、シンカー２等の水中での沈降速度を調節するものである。図示例では、汎用樹脂の中で比重が最も小さく、水に浮かぶポリプロピレンを使用して重量部材２ａ等を一体に落涙形状に形成した。よって、シンカー２等において、重量部材２ａ等は外部から目視することができず、係止具２ｃ等の環状孔部２ｄ等が浮力体２ｂ等の一端部から外部に突出している。なお、浮力体２ｂ等の形状はジグヘッド３をより遠くに投げるために資する形状であれば特に限定はない。
【００２５】
この浮力体２ｂ等によって、重量部材２ａ等の重量にかかわりなく、シンカー２等の水中での沈降速度を、ジグヘッド３の水中での沈降速度より遅い一定速度に調節した。そのため、着水後はシンカー２等より先にジグヘッド３が水中で沈降することとなる。なお、
シンカー２等とジグヘッド３がほぼ同時に沈降するように調節してもよい。具体的には、重量０．４ｇ〜１．８ｇのジグヘッド３を使用した図示例において、重量部材２ａ等及び係止具２ｃ等の合計重量を１．５ｇ，０．９ｇ，１．２ｇ，１．８ｇ，２．４ｇとしたシンカー２等の水中での沈降速度を、シンカー２等の重量にかかわりなく、０．４ｇの重量のシンカーの沈降速度と略同等に調整した。よって、本発明の特徴はジグヘッド３とシンカー２等の重量及び水中での沈降速度を次のＡ，Ｂ２つの条件を同時に充足することにある。即ち、本発明では、シンカー２等の水中での沈降速度をジグヘッド３より遅い一定速度に調節してある。
条件Ａ：ジグヘッド３の重量≦シンカー２等の重量
条件Ｂ：ジグヘッド３の沈降速度≧シンカー２等の沈降速度
【００２６】
次に本発明にかかるルアーフィッシング用仕掛け１の使用方法を図２に基づいて説明する。例えば、１．０ｇ程度のジグヘッド３を使用し、狙いとする海域にジグヘッド３を投げ入れるための重量、例えば１．５ｇの重量のシンカー２を採用することによって、ルアーフィッシング用仕掛け１全体としての重量を増加させることができ、ロッドの操作によってジグヘッド３を狙う海域Ｓに投げ入れることができる。
【００２７】
そして、狙う海域Ｓに着水後は、シンカー２の沈降速度は浮力体２ｂによって０．４ｇの重量のシンカーの沈降速度と略同等に調整してあるため重量部材２ａの重量にかかわりなく、シンカー２より先にジグヘッド３が水中で沈降する。また、シンカー２は取付具９を介して係止具２ｃの環状孔部２ｄを第１ストッパ７と第２ストッパ８の間のリーダー５に挿通して係止することによって、一定区間Ｌにおいて摺動自在である。そのため、釣り人はシンカー２の存在に邪魔されることなく、常にジグヘッド３を直接的に感知することが可能であり、その結果、シンカー２の存在に影響されることなく、ジグヘッド３を操作することが可能である。即ち、リーダー５とシンカー２の接点が線ではなく、点となるために、ルアーフィッシング用仕掛け１が遊動し易く、魚がジグヘッド３を咥えたことを感知しやすい。
【産業上の利用可能性】
【００２８】
上記構成の本発明によれば、ジグヘッドの飛距離に応じたシンカーの重量を選択することによってジグヘッドの飛距離を延ばして狙う海域に投入することができるとともに、シンカーの沈降速度をその重量に関わりなく、一定の速度に調節してあるため、ジグヘッドより重い重量のシンカーを使用しても、常にシンカーより先にジグヘッドを水中に沈降させることができる。即ち、着水後は、シンカーの重量に関わりなく、ジグヘッドがシンカーに先行して沈降し、シンカーはジグヘッドに追随して沈降するため、釣り人はシンカーの存在に邪魔されることなくジグヘッドの存在を感知することが容易となる。
【００２９】
更に、シンカーは取付具を介して摺動自在に釣り用ラインに係止されているため、水中でのジグヘッドの操作にシンカーが障害とならず、釣り人は常に直接的なジグヘッドの操作が可能である。そのため、ジグヘッドを所定のポイントに投入することが容易となるとともに、ジグヘッドの操作が容易となり、又魚がジグヘッドを咥えたことを適格に感知することができる。本発明によれば、ルアーフィッシング用仕掛けをシンカーによって遠投可能であるとともに、着水後は恰もシンカーを装備しないジグヘッド単体のルアーフィッシング用仕掛けの感覚で釣りを楽しむことができる。
【符号の説明】
【００３０】
１…ルアーフィッシング用仕掛け
２，１０，１１，１２，１３…シンカー
２ａ，１０ａ，１１ａ，１２ａ，１３ａ…重量部材
２ｂ，１０ｂ，１１ｂ，１２ｂ，１３ｂ…浮力体
２ｃ，１０ｃ，１１ｃ，１２ｃ，１３ｃ…係止具
２ｄ，１０ｄ，１１ｄ，１２ｄ，１３ｄ…環状孔部
３…ジグヘッド
３ａ…フック
４…ワーム
５…リーダー
６…メインライン
７…第１ストッパ
８…第２ストッパ
９…取付具
【図１】
2014103917.tif 000003
【図２】
2014103917.tif 000004
【図３】
2014103917.tif 000005
【図４】
2014103917.tif 000006
【図５】
2014103917.tif 000007
【図６】
2014103917.tif 000008
【図７】
2014103917.tif 000009
【図８】
2014103917.tif 000010
【図９】
2014103917.tif 000011
【図１０】
2014103917.tif 000012
【図１１】
2014103917.tif 000013